(57)【要約】      （修正有）【課題】使用者が記録媒体装置から取り出したいと所望する記録媒体が複数ある場合に、使用者の手間を省き、排出時間の短縮を図る。【解決手段】記録媒体装置は、複数枚の記録媒体１００を収納する収納部２０と、収納部２０に収納された記録媒体１００を装置外に排出するための排出口１２と、収納部２０に収納された複数枚の記録媒体１００のうち排出口１２を介して排出させる複数枚の記録媒体１００を指定することが可能な指定手段（ユーザー操作部４６，ＯＳＤ４７）と、指定手段で指定された複数枚の記録媒体１００の排出を順次連続して実行する制御手段（システムコントローラ３０）と、を有する。【選択図】        図２
2004318956.tif 000002
【特許請求の範囲】
【請求項１】
装置内に設けられた複数枚の記録媒体を収納する収納部と、
前記収納部に収納された記録媒体を装置外に排出するための排出口と、
前記収納部に収納された複数枚の前記記録媒体のうち前記排出口を介して排出させる複数枚の記録媒体を指定することが可能な指定手段と、
前記指定手段で指定された複数枚の前記記録媒体の排出を順次連続して実行する制御手段と、を有することを特徴とする記録媒体装置。
【請求項２】
前記指定手段は、前記記録媒体の種類毎に、排出する複数枚の前記記録媒体を指定することが可能に構成されていることを特徴とする請求項１に記載の記録媒体装置。
【請求項３】
複数枚の記録媒体が収納された収納部から指定された記録媒体を排出する記録媒体排出方法であって、
収納部に収納された複数の前記記録媒体のうち排出する複数の記録媒体を指定する工程と、
指定された複数枚の前記記録媒体の排出を順次連続して実行する工程と、を含むことを特徴とする記録媒体排出方法。
【発明の詳細な説明】
【０００１】
【発明の属する技術分野】
本発明は、複数の記録媒体を収納可能な記録媒体装置および記録媒体排出方法に関する。
【０００２】
【従来の技術】
複数枚の記録媒体を収納する装置として代表されるものとしては、例えば、複数枚のＣＤ（Ｃｏｍｐａｃｔ  Ｄｉｓｃ）を装置内に収納し、その収納された複数枚のＣＤから所望のＣＤを選択して再生する記録媒体装置がある（例えば、特許文献１参照）。
【０００３】
【特許文献１】
特開２００１−１７６１７６号公報
【０００４】
ところで、そのような記録媒体装置では、装置内に収納された記録媒体を装置外に排出する場合には、排出する記録媒体の収納位置を指定して、イジェクトキーを操作することにより行われる。
図１（Ａ）〜（Ｅ）は、装置内に収納されている５枚の記録媒体うち３番目の収納位置に収納されている記録媒体のみを装置内に残して他の記録媒体（２，４，５，６番目の収納位置に収納されている記録媒体）を装置外に排出する場合を模式的に表現している。
【０００５】
図１（Ａ）は、２，３，４，５，６番目の収納位置に記録媒体が収納されており、１番目の収納位置には記録媒体が収納されておらず、また、２番目の収納位置に収納されている記録媒体が再生位置に引き出されて再生されている状態を示している。なお、２番目の収納位置にはＣＤＤＡ（Ｃｏｍｐａｃｔ  Ｄｉｓｃ  Ｄｉｇｉｔａｌ  Ａｕｄｉｏ）、３番目の収納位置にはＣＤＤＡ、４番目の収納位置にはＶＣＤ（Ｖｉｄｅｏ  ＣＤ）、５番目の収納位置にはＤＶＤ−Ｖ（ＤＶＤ−Ｖｉｄｅｏ）、６番目の収納位置にはＤＶＤ−Ｖが収納されていることを示している。
【０００６】
そして、図１（Ａ）に示す収納状態から、図１（Ｂ）に示すように、２番目の収納位置に収納されているＣＤＤＡを装置外に排出すべく、使用者が２番目の収納位置を指定して、続けてイジェクトキーを操作する。すると、再生位置にあるＣＤＤＡは、その再生が停止されて、記録媒体を１枚ずつ排出するように構成されている排出口からその一部を装置外部へ突出する位置に搬送される。そして、使用者が排出口から突出した部分を把持して引き抜くことにより、２番目の収納位置に収納されているＣＤＤＡの排出動作が完了する。続けて、図１（Ｃ）から図１（Ｅ）に示すように、２番目の収納位置に収納されているＣＤＤＡを排出する操作と同様の操作を４，５，６番目の収納位置に収納されている記録媒体に対して順次行うことにより、３番目の収納位置に収納されているＣＤＤＡのみを装置内に残した一連の記録媒体の排出動作が行われる。
【０００７】
【発明が解決しようとする課題】
このように、使用者が装置内に収納されている複数枚の記録媒体の中から不要な複数枚の記録媒体を装置内から取り出したいと欲した場合には、記録媒体の収納位置を指定するための操作、イジェクトキーの操作および記録媒体を引き抜く動作を、取り出す記録媒体毎に繰り返し行う必要がある。このように、複数枚の不要な記録媒体を装置外に排出するには、手間がかかり、不便であった。
【０００８】
本発明は、少なくとも装置内に収納されている複数枚の不要な記録媒体を簡易な操作で排出することができる記録媒体装置および記録媒体排出方法を提供することを目的とする。
【０００９】
【課題を解決するための手段】
請求項１に記載した記録媒体装置は、装置内に設けられた複数枚の記録媒体を収納する収納部と、前記収納部に収納された記録媒体を装置外に排出するための排出口と、前記収納部に収納された複数枚の前記記録媒体のうち前記排出口を介して排出させる複数枚の記録媒体を指定することが可能な指定手段と、前記指定手段で指定された複数枚の前記記録媒体の排出を順次連続して実行する制御手段と、を有することを特徴とする。
【００１０】
また、請求項４に記載した記録媒体排出方法は、複数枚の記録媒体が収納された収納部から指定された記録媒体を排出する記録媒体排出方法であって、収納部に収納された複数の前記記録媒体のうち排出する複数の記録媒体を指定する工程と、指定された複数枚の前記記録媒体の排出を順次連続して実行する工程と、を含むことを特徴とする。
【００１１】
【発明の実施の形態】
本発明に係る実施の形態について図２乃至図１０を用いて説明する。図２は、実施の形態に係る記録媒体装置１０を示す機能ブロック図である。
【００１２】
図２に示す記録媒体装置１０は、ケース１１の内部に複数枚の記録媒体１００を積層配列して収納することができる収納部２０と、ケース１１の前方に１枚の記録媒体１００を通すことが可能な排出口１２を備えている（収納部２０は多層のトレイ２１によって構成されており、各トレイ２１に種々の記録媒体１００を収納できるようになっている）。
なお、排出口１２は、記録媒体１００を記録媒体装置１０へ挿入する挿入口としての機能も併せ持つものとしてもよい。
【００１３】
また、収納部２０は記録媒体１００の配列方向に沿って移動可能に構成されており、チェンジャーメカコントローラ３１により移動制御されている。
【００１４】
そして、記録媒体１００を排出口１２を介して挿入する場合には収納部２０における記録媒体が収納されていない収納位置をその排出口１２と対向する位置に位置付け、また、収納部２０に収納されている記録媒体１００を装置外に排出する場合には、排出する記録媒体１００が収納されている収納位置を排出口１２と対向する位置に位置付ける。
【００１５】
そして、図示せぬ記録媒体搬送機構により挿入された記録媒体１００の収納部２０への搬送、および収納部２０に収納されている記録媒体１００の排出口１２への搬送が行われる。
【００１６】
このように、チェンジャーメカコントローラ３１が収納部２０の移動を制御することにより、１枚の記録媒体１００を通すことが可能な排出口１２から挿入される記録媒体１００を順次収納部２０における収納位置へ収納させることができるとともに、収納部２０に収納されている不要な記録媒体１００を排出口１２を介して順次装置外に排出することができる。なお、このチェンジャーメカコントローラ３１は、制御手段としてのシステムコントローラ３０からの指令に応じて収納部２０と記録媒体搬送機構の動作制御を実行するものである。
【００１７】
収納部２０に収納されている記録媒体１００を再生する際には、収納部２０を記録媒体１００の配列方向に移動させる。そして、再生される記録媒体１００が収納されている収納位置を再生位置に位置付ける。再生位置に位置付けられた記録媒体１００は、ターンテーブル上に載置されてスピンドルモータ３２の駆動により所定の回転数で回転駆動される。
【００１８】
スピンドルモータ３２によって回転駆動された記録媒体１００は、スピンドルモータ３２の上方に配設された光ピックアップ３３（例えば、図示せぬ半導体レーザ、対物レンズ、光検出器等で構成される）から照射されるレーザ光により記録されているデータが読取られる。そして、その読取られたデータが光電変換されてＲＦアンプに供給される。また、光ピックアップ３３は、送りモータ３５により記録媒体１００の半径方向に移動して、記録媒体１００に記録されているデータを順次読み取りを実行する。
【００１９】
スピンドルモータ３２、光ピックアップ３３、および送りモータ３５は、サーボ制御部３４により制御される。このサーボ制御部３４は、ＲＦアンプ３６から供給されるエラー信号（例えば、フォーカスエラー、トラッキングエラー等）などによりスピンドルモータ３２の回転サーボ制御、光ピックアップ３３のフォーカスサーボ制御、および送りモータ３５の送り速度のサーボ制御等が実行される。
【００２０】
一方、ＲＦアンプ３６は光電変換されたデータを増幅して再生信号を生成する。そして、ＲＦアンプ３６から出力された再生信号は、デジタル信号処理部３７に供給され、エラー訂正等のデジタル信号処理が施されストリーム分離部３８に供給される。また、デジタル信号処理部３７では、システムコントローラ３０と双方向に制御信号の送受信が行われる。また、デジタル信号処理部３７には、デジタル信号処理を施した再生信号を一時的に記憶するメモリＲＡＭ１が接続されており、そのメモリＲＡＭ１内にてインターリーブ等の処理が施される。また、デジタル信号処理部３７からも、エラー信号等がサーボ制御部３４に供給され、サーボ制御部３４はそのエラー信号等に応じて、各種サーボ制御を実行する。
【００２１】
ストリーム分離部３８は、供給された再生信号を音声ストリーム、動画の映像ストリーム、静止画像の映像ストリームにストリーム分離し、音声ストリームはオーディオデコーダ３９に供給し、動画の映像ストリームはビデオデコーダ４０に供給し、静止画像の映像ストリームはサブピクチャデコーダ４１に供給する。
【００２２】
音声ストリームは、例えば、ＭＰ３やＭＰＥＧ１Ａｕｄｉｏ等で圧縮符号化されている場合（ＭＰ３やＭＰＥＧ１Ａｕｄｉｏ等で圧縮符号化されたデータを記録している記録媒体としては、ＣＤ−ＲやＶＣＤが挙げられる）は、一時的にメモリＲＡＭ２に格納され、オーディオデコーダ３９により伸張復号化されてＤ／Ａ変換器４２に送信される。そして、復号化された音声ストリームは、Ｄ／Ａ変換器４２によりアナログのオーディオ信号に変換されスピーカ等から出力される。
【００２３】
動画の映像ストリームは、例えば、ＭＰＥＧ１やＭＰＥＧ２方式等で圧縮符号化されており（ＭＰＥＧ１やＭＰＥＧ２方式等で圧縮符号化されたデータを記録している記録媒体としては、ＶＣＤ、ＤＶＤが挙げられる）、一時的にメモリＲＡＭ３に格納され、ビデオデコーダ４０により伸長復号化されてビデオプロセッサ４３に送信される。また、同様に静止画像の映像ストリームも例えば、ＪＰＥＧ方式等で圧縮符号化されており（ＪＰＥＧ方式等で圧縮符号化されたデータを記録している記録媒体としては、ＣＤ−Ｒが挙げられる）、一時的にメモリＲＡＭ４に格納され、サブピクチャデコーダ４１により伸長復号化されてビデオプロセッサ４３に供給される。
【００２４】
さらに、伸長復号化された映像ストリームは、ビデオプロセッサ４３において、ノイズ除去などの画像処理を施されて、ビデオエンコーダ４４に供給される。ビデオエンコーダ４４は、ビデオプロセッサ４３から供給された信号（例えば、アナログＲＧＢ信号）をモニター４５で表示可能なビデオ信号（例えば、ＮＴＳＣ方式のビデオ信号等）に変換する。このビデオエンコーダ４４によって変換されたビデオ信号はモニター４５に供給され、映像表示される。
【００２５】
また、システムコントローラ３０には選択手段であるユーザー操作部４６が接続されており、このユーザー操作部４６を使用者が操作することにより、一括排出するための記録媒体の収納位置や記録媒体の種類を予め選択しておくことができる。
【００２６】
また、システムコントローラ３０には、ＧＵＩ（Ｇｒａｐｈｉｃａｌ  Ｕｓｅｒ  Ｉｎｔｅｒｆａｃｅ）といして機能するＯＳＤ（Ｏｎ  Ｓｃｒｅｅｎ  Ｄｉｓｐｌａｙ）４７が接続されており、各種の情報を画面表示できるようになっている。さらに、このＯＳＤ４７はタッチパネルでもよく、これによりユーザー操作部４６の機能の一部を兼ねることができる。
【００２７】
システムコントローラ３０内のメモリＭには、収納部２０における記録媒体１００の収納状況を示す情報が記憶されている。この情報は、記録媒体装置１０の電源投入時や電源投入後に新たな記録媒体が挿入された際に、収納部２０に収納されている記録媒体の管理情報が順次光ピックアップ３３により読取ることにより行われ、その読取られた情報がシステムコントローラ３０に供給されて、メモリＭ内に記憶される。そして、少なくとも記録媒体の種類を示す情報（例えば，ＣＤＤＡ、ＶＣＤ、ＤＶＤ−Ｖ等）と収納部２０における収納位置を示す番号とを対応させた記録媒体情報テーブル（例えば、後述の図６の（Ａ）参照）がメモリＭ内に生成される。
【００２８】
検知手段４８は、記録媒体１００に対して、接触あるいは非接触のセンサ（例えば、フォトセンサ）等を用いることができる。
この検知手段４８は、図２に示すように、ケース１１の内側の排出口１２近傍に設けられ、搬送された記録媒体１００が排出口１２からその一部を記録媒体装置１０外に露出した状態となった際に、例えば、フォトセンサの受光部４８ａに対し、その発光部４８ｂからの光を遮るようになっているので、この記録媒体１００が使用者によって抜き取られた際に、一旦遮られた光が再び受光されることにより、抜き取り完了の情報がシステムコントローラ３０に供給される。
【００２９】
次に、上述の記録媒体情報テーブルの生成手順を図３を用いて説明する。
図３に示すように、まず最初に記録媒体装置１０の電源投入（ステップＳ１）がなされると、収納部２０内の全収納位置における記録媒体１００を順次再生位置に搬送して、その記録媒体１００に記録されている管理情報等を光ピックアップ３３により読取る（ステップＳ２）。そして、各収納位置における記録媒体の有無および記録媒体の種類（ＣＤＤＡ、ＶＣＤ、ＤＶＤ−Ｖ等）を判別する。記録媒体の有無については、例えば、所定時間経過しても記録媒体が再生位置に位置付けられないことを検出することにより判別する。そして、これらの情報により収納部２０の収納位置を示す番号に対応させた記録媒体情報テーブルを生成する（ステップＳ３）。
【００３０】
そして、新たな記録媒体が挿入または排出されたか否かを判定し（ステップＳ４）、新たな記録媒体が挿入または排出された場合（Ｙｅｓ）は、挿入または排出されたことに応じて記録媒体情報テーブルの内容を更新する（ステップＳ５）。
【００３１】
上述のようにしてメモリＭ内には記録媒体情報テーブルが生成される。
なお、メモリＭを不揮発性メモリ等にするか、別途不揮発性メモリ等を設けて電源投入時にメモリＭへデータを転送するなどしてもよい。あるいは、バックアップ電池等を用いて、電源が入っていない間もデータ保持できるようにしてもよい。
【００３２】
次に、本実施の形態に係る記録媒体排出方法を説明する。
最初に、使用者が予め選択した記録媒体を一括排出する一例を、図４乃至図６を用いて説明する。
【００３３】
まず、図４のフローチャートに示すように、排出する記録媒体の収納位置を示す番号の指定要求が有るか否かを判断する（ステップＳＡ１）。収納位置を示す番号の指定要求が有る場合（Ｙｅｓ）は、記録媒体情報テーブルを参照する（ステップＳＡ２）。
そして、この記録媒体情報テーブルを参照して、指定された番号の収納位置に記録媒体が有るか否かを判断する（ステップＳＡ３）。
【００３４】
ステップＳＡ３における判断の結果、指定された番号の収納位置に記録媒体が有る場合（Ｙｅｓ）は、一括排出情報テーブルにその収納位置の番号を登録する（ステップＳＡ４）。この一括排出情報テーブルは、収納部２０に収納されている複数の記録媒体を順次連続して排出させるときに排出対象となる記録媒体の収納位置を示す番号を登録するためのテーブルであり、上述した指定要求に基づいて登録される。
一方、指定された番号の収納位置に記録媒体が無い場合（Ｎｏ）は、例えば、“指定された番号の収納位置に記録媒体が無い”旨の通知を行う（ステップＳＡ５）。
【００３５】
また、ステップＳＡ１において、排出する記録媒体の収納位置示す番号の指定要求が無い場合（Ｎｏ）は、一括排出実行要求、すなわち、複数の記録媒体を順次連続して排出する動作を実行する旨の要求が有るか否かを判断する（ステップＳＡ６）。
上記ステップＳＡ６において、一括排出実行要求が有る場合（Ｙｅｓ）は、後述する一括排出処理、すなわち、複数の記録媒体を順次連続して排出する処理を実行（ステップＳＡ７）して終了する。また、一括排出実行要求が無い場合（Ｎｏ）は、一括排出の処理は実行しないで終了する。
【００３６】
次に、一括排出処理について図５を用いて以下詳細に説明する。
図５は一括排出処理を示すフローチャートである。
まず、一括排出情報テーブルに登録されたデータが有るか否かを判定する（ステップＳ１１）。一括排出情報テーブルに登録されたデータが無い場合（Ｎｏ）は処理を終了する。
【００３７】
一方、一括排出情報テーブルに登録されたデータが有る場合（Ｙｅｓ）は、一括排出情報テーブルにおける記録媒体の収納位置を示す番号の登録順に記録媒体の排出動作を実行する（ステップＳ１２）。これにより、１枚目の記録媒体が排出口１２から記録媒体の一部が装置外部へ突出する位置まで搬送される。そして、検知手段４８が排出口１２の位置に記録媒体が存在することを検知し、記録媒体の引き抜き待ちの状態に入る（ステップＳ１３）。
【００３８】
さらに、使用者が排出口１２から記録媒体を引き抜いたか否かを検知手段４８により検知する（ステップＳ１４）。
ここで、記録媒体の引き抜きが検知手段４８により検知されたら（Ｙｅｓ）、引き抜かれた記録媒体の登録データを一括排出情報テーブルから削除する（ステップＳ１５）。
【００３９】
そして、ステップＳ１１に戻って、一括排出情報テーブルに登録された次の記録媒体の排出動作を実行する。
このようにして、一括排出情報テーブルに登録されたデータが無くなるまで（ステップＳ１１でＮｏとなるまで）、排出動作が繰り返される。
【００４０】
次に、図６に具体例を挙げ詳細に説明する。
図６は、６枚の記録媒体を収納可能な収納部２０を有する記録媒体装置１０から、使用者が指定選択した４枚の記録媒体を一括排出する例を説明するための図である。
図６（Ａ）〜図６（Ｅ）の表は、記録媒体の有無および記録媒体の種類の情報（ＣＤＤＡ、ＶＣＤ、ＤＶＤ−Ｖ等）を収納位置を示す番号（１乃至〜６）に対応させた記録媒体情報テーブルを示している。
まず、図６（Ａ）の記録媒体情報テーブルを参照すると、１番目の収納位置には記録媒体が収納されていない状態にあることがわかり、また、２番目の収納位置にはＣＤＤＡ（記録媒体１０２）、３番目の収納位置にはＣＤＤＡ（記録媒体１０３）、４番目収納位置にはＶＣＤ（記録媒体１０４）、５番目の収納位置にはＤＶＤ−Ｖ（記録媒体１０５）、６番目の収納位置にはＤＶＤ−Ｖ（記録媒体１０６）がそれぞれ収納されていることがわかる。
【００４１】
そして、使用者がユーザー操作部４６に設けられた指定キー等（図示せず）を順次操作して、以下（１）〜（４）のようにして一括排出情報テーブルに収納位置の番号を登録する。なお、この時点においては、２番目の収納位置のＣＤＤＡ（記録媒体１０２）が再生されている状態にある。
（１）  ２番目の収納位置の記録媒体１０２を指定する。
（２）  ４番目の収納位置の記録媒体１０４を指定する。
（３）  ５番目の収納位置の記録媒体１０４を指定する。
（４）  ６番目の収納位置の記録媒体１０６を指定する。
以上により一括排出情報テーブルには、収納位置を示す番号２、４、５、６が登録される。
次に、例えば、一括排出処理を実行するための排出開始キーを押す（５）。
【００４２】
そして、一括排出が開始される。まず、システムコントローラ３０はサーボ制御部３４を制御して記録媒体１０２の再生を停止させ、再生位置にある記録媒体１０２を２番目の収納位置に戻させる。そして、チェンジャーメカコントローラ３１を制御してこの記録媒体１０２を排出口１２からその一部を装置外部へ突出する位置まで搬送させる（図６の（Ｂ））。そして、使用者がこの記録媒体１０２を引き抜く（６）。
次に、記録媒体１０２が引き抜かれたことを検知手段４８が検知することにより、一括排出情報テーブルに登録された４番目の収納位置の記録媒体１０４の排出動作を開始させる。また、記録媒体情報テーブルはこのとき更新され、図６の（Ｂ）に示すように、２番目の収納位置が“無し”のデータが書き込まれる。そして、一括排出情報テーブルでは２が削除される。
【００４３】
次に、４番目の収納位置の記録媒体１０４を排出口１２からその一部を装置外部へ突出する位置まで搬送させる（図６の（Ｂ））。そして、使用者がこの記録媒体１０４を引き抜く（７）。
そして、記録媒体１０４が引き抜かれたことを検知手段４８が検知することにより、システムコントローラ３０はチェンジャーメカコントローラ３１を制御して、一括排出情報テーブルに登録された５番目の収納位置の記録媒体１０５の排出動作を開始させる。
【００４４】
次に、５番目の収納位置の記録媒体１０５を排出口１２からその一部を装置外部へ突出する位置まで搬送させる（図６の（Ｄ））。そして、使用者がこの記録媒体１０５を引き抜く（８）。
そして、記録媒体１０５が引き抜かれたことを検知手段４８が検知することにより、システムコントローラ３０はチェンジャーメカコントローラ３１を制御して、一括排出情報テーブルに登録された６番目の収納位置の記録媒体１０６の排出動作を開始させる。
【００４５】
最後に、６番目の収納位置の記録媒体１０６を排出口１２からその一部を装置外部へ突出する位置まで搬送させる（図６の（Ｅ））。そして、使用者がこの記録媒体１０６を引き抜く（９）。そして、一括排出情報テーブルに登録された収納位置のデータが空になり、一括排出動作を完了する。また、記録媒体情報テーブルはこのとき更新され、図６の（Ｅ）に示すように、６番目の収納位置に“無し”のデータが書き込まれる。このように、システムコントローラ３０は一括排出情報テーブルに登録されているデータが無くなるまでチェンジャーメカコントローラ３１を制御して、複数枚の記録媒体の排出動作を順次連続して実行させる。
【００４６】
従来のように、使用者が所定の１枚の記録媒体の収納位置を指定して、続けてイジェクトキーを操作し、排出口の位置まで搬送された記録媒体を使用者が引き抜くことにより、１枚の記録媒体の排出動作が完了する記録媒体排出方法では、複数枚の記録媒体の排出させるには、１枚毎にイジェクトキーを操作する必要があったが（図１参照）、本実施の形態では、予め使用者が一括排出させたい記録媒体を登録しておけば、排出開始キーを操作することにより、複数枚の記録媒体の排出動作が順次連続して実行されるので、使用者の手間を省き、排出時間の短縮を図ることが可能である。
【００４７】
次に、本実施の形態に係る記録媒体排出方法の他の一例について図７のフローチャートを用いて説明する。
図７は、指定された種類の記録媒体の排出動作を示すフローチャートである。なお、一括排出処理を示すフローチャート（図５参照）は共通である。
【００４８】
まず、図７のフローチャートに示すように、ステップＳＢ１において、排出させる記録媒体の種類の指定が有るか否かを判断する。排出させる記録媒体の種類の指定が有る場合（Ｙｅｓ）は、記録媒体情報テーブルを参照する（ステップＳＢ２）。
記録媒体情報テーブルを参照し、指定された種類の記録媒体が記録媒体情報テーブルに有るか否かを判断する（ステップＳＢ３）。
そして、指定された種類の記録媒体が有る場合（Ｙｅｓ）は、一括排出情報テーブルに、指定された種類の記録媒体全ての収納位置の番号を登録する（ステップＳＢ４）。
一方、指定された種類の記録媒体が無い場合（Ｎｏ）は、“指定された種類の記録媒体が無い”旨の通知を行う（ステップＳＢ５）。
また、ステップＳＢ１において、排出する記録媒体の種類の指定要求が無い場合（Ｎｏ）は、一括排出実行要求が有るか否かを判断する（ステップＳＢ６）。
上記ステップＳＢ６において、一括排出実行要求が有る場合（Ｙｅｓ）は、前述の図５を用いて示した一括排出の処理を実行（ステップＳＢ７）して終了する。また、一括排出実行要求が無い場合（Ｎｏ）は、一括排出の処理は実行しないで終了する。
【００４９】
次に、具体例を挙げ図８乃至図１０を用いてさらに詳細に説明する。
図８は、６枚の記録媒体を収納可能な記録媒体装置１０から、使用者が選択した所定の種類の記録媒体を一括排出する例を説明するための図である。
図９（Ａ）および図９（Ｂ）には記録媒体の種類としてＤＶＤ−Ｖのみを指定して排出する場合のＯＳＤ４７の画面表示を、図１０の（Ａ）および図１０（Ｂ）には映像用の記録媒体（例えば、ＶＣＤとＤＶＤ−Ｖ）を指定して排出する場合のＯＳＤ４７の画面表示が示されている。
【００５０】
図８の（Ａ）〜（Ｄ）の表は、記録媒体の有無および記録媒体の種類の情報（ＣＤＤＡ、ＶＣＤ、ＤＶＤ−Ｖ等）を記録媒体が収められた収納位置の番号（１乃至〜６）に対応させた記録媒体情報テーブルである。
まず、図８の（Ａ）の記録媒体情報テーブルを参照すると、１番目の収納位置は記録媒体が収納されていない状態にあることがわかり、２番目の収納位置にはＣＤＤＡ（記録媒体１０２）、３番目の収納位置にはＤＶＤ−Ｒ（記録媒体１０３）、４番目収納位置にはＶＣＤ（記録媒体１０４）、５番目の収納位置にはＤＶＤ−Ｖ（記録媒体１０５）、６番目の収納位置にはＤＶＤ−Ｖ（記録媒体１０６）がそれぞれ収納されていることがわかる。
【００５１】
（１）  使用者がＯＳＤ４７に表示されたキーのうち、図９の（Ａ）に斜線で示したＤＶＤ−Ｖキー５１を操作して、排出させる記録媒体の種類としてＤＶＤ−Ｖを指定する。
この（１）の指示を受けて、メモリＭ内の一括排出情報テーブルに収納位置の番号（３、５、６）が登録される。
なお、この時点においては、２番目の収納位置のＣＤＤＡ（記録媒体１０２）が再生されている。
（２）  ＯＳＤ４７に表示されたキーのうち、図９の（Ｂ）に斜線で示した排出開始キー５２を操作する。
【００５２】
（２）の指示を受けて、一括排出の動作が開始される。まず、システムコントローラ３０はサーボ制御部３４を制御して、記録媒体１０２の再生を中断させる。
そして、チェンジャーメカコントローラ３１を制御して、種類がＤＶＤ−Ｖである最初の記録媒体（３番目の収納位置の記録媒体１０３）が排出口１２からその一部を装置外部へ突出する位置に搬送させる（図８の（Ｂ））。そして、使用者がこの記録媒体１０３を引き抜く（３）。
次に、記録媒体１０３が引き抜かれたことを検知手段４８が検知することにより、システムコントローラ３０はチェンジャーメカコントローラ３１を制御して一括排出情報テーブルに登録された次のＤＶＤ−Ｖ（５番目の収納位置の記録媒体１０５）の排出動作を開始させる。また、記録媒体情報テーブルはこのとき更新され、図８の（Ｂ）に示すように、３番目の収納位置に“無し”のデータが書き込まれる。
【００５３】
次に、５番目の収納位置の記録媒体１０５（ＤＶＤ−Ｖ）が排出口１２からその一部を装置外部へ突出する位置に搬送させる（図８の（Ｃ））。そして、使用者がこの記録媒体１０５を引き抜く（４）。
そして、記録媒体１０５が引き抜かれたことを検知手段４８が検知することにより、システムコントローラ３０はチェンジャーメカコントローラ３１を制御して一括排出情報テーブルに登録された６番目の収納位置の記録媒体１０６（ＤＶＤ−Ｖ）の排出動作を開始させる。また、記録媒体情報テーブルはこのとき更新され、図８の（Ｃ）に示すように、５番目の収納位置に“無し”のデータが書き込まれる。
【００５４】
最後に、６番目の収納位置の記録媒体１０６（ＤＶＤ−Ｖ）が排出口１２から装置外部へ突出する位置に搬送させる（図８の（Ｄ））。そして、使用者が排出口１２から突出した部分を把持して記録媒体１０６を引き抜く（５）。
そして、記録媒体１０６が引き抜かれたことを検知手段４８が検知することにより、そして、一括排出情報テーブルに登録された収納位置のデータが空になり、一括排出動作を完了する。また、記録媒体情報テーブルはこのとき更新され、図８の（Ｄ）に示すように、６番目の収納位置に“無し”のデータが書き込まれる。このように、システムコントローラ３０は一括排出情報テーブルに登録されているデータが無くなるまでチェンジャーメカコントローラ３１を制御して、複数枚の記録媒体の排出動作を順次連続して実行させる。
【００５５】
本実施の形態は、複数の種類の記録媒体をまとめて指定して排出させることもでき、例えば図１０（Ａ）および図１０（Ｂ）に示すように、２種類の記録媒体（ＶＣＤとＤＶＤ−Ｖ）を指定して排出することのできる。
この場合には、まず図１０の（Ａ）に斜線で示すように、ＤＶＤ−Ｖキー５１とＶＣＤキー５３とを操作して排出する記録媒体の種類を指定して、例えば、図１０の（Ｂ）に斜線で示すように、排出開始キー５２を操作して排出を実行する。
【００５６】
以上のように、記録媒体の種類を指定することにより、指定された種類の記録媒体のみを一括排出することができる。
【００５７】
従来は、使用者が取り出したいと欲する特定の種類の記録媒体が何番目の収納位置に収納されているかを１枚１枚使用者が検索・確認し、イジェクトキーの操作および排出された記録媒体を引き抜く動作を、取り出す記録媒体毎に繰り返し行っていた。これに対して、本実施の形態によれば、何番目の収納位置にどの種類の記録媒体が収納されているかを使用者が確認せずとも、図９または図１０の如く、ＯＳＤ４７に表示された記録媒体の種類を指定するキーと一括排出を開始させるキーとを操作するのみで済む。これにより、使用者が取り出したいと欲する特定の種類の記録媒体のみの排出動作が順次連続して実行されるので、使用者の手間を省き、複数枚の記録媒体の排出時間の短縮を図ることが可能である。
【００５８】
なお、本発明の記録媒体装置および記録媒体排出方法は、前述した各実施の形態に限定されるものでなく、それら各実施の形態を組み合わせた構成（記録媒体の種類と記録媒体の収納位置の両方を指定可能とする）等、本発明の主旨を逸脱しない範囲で適宜な変形、改良等が可能である。
前述した実施の形態では、システムコントローラ３０がチェンジャーメカコントローラ３１を制御して複数枚の記録媒体の排出を順次連続して実行することについて説明したが、システムコントローラ３０、またはチェンジャーメカコントローラ３１のいずれか一方のみで行うようにしてもよい。
また、例えば、前述した実施の形態では、排出口１２からその一部を装置外部へ突出する位置に搬送された記録媒体１００が使用者により抜き取られたことを検出して、次に排出される記録媒体１００の排出動作に移行させていたが、これに限ることなく、排出対象となる記録媒体１００の一部を排出口１２から装置外部へ突出する位置まで搬送させるのと並行して、次に排出される記録媒体１００を排出口１２と同じ位置に位置付けさせておくようにしてもよい。そうすることで、より一層排出時間の短縮を図ることができる。
【００５９】
なお、記録媒体１００の種類については、ＤＶＤ−Ｖ等のメディアを指定することに限ることなく、例えば、映像を記録した記録媒体や音声を記録した記録媒体等を指定することも可能である。その場合、例えば、記録媒体の種類がＤＶＤ−Ｖであれば映像を記録した記録媒体であるという情報を記録媒体情報テーブルに登録し、記録媒体の種類がＣＤＤＡであれば音声を記録した記録媒体であるという情報を記録媒体情報テーブルに登録するようにすればよい。このようにすることにより、例えば、車両に搭載された記録媒体装置において車両の走行中に利用することができない映像を記録した複数の記録媒体を一括排出すれば、音声を記録したＣＤＤＡとの交換処理がより迅速に行うことが可能となり、利便性が向上するものとなる。
【００６０】
以上のように、本発明の実施の形態に係る記録媒体装置１０は、装置内に設けられ、複数枚の記録媒体１００を収納する収納部２０と、収納部２０に収納された記録媒体１００を装置外に排出するための排出口１２と、収納部２０に収納された複数枚の記録媒体１００のうち排出口１２を介して排出させる複数枚の記録媒体１００を指定することが可能な指定手段（ユーザー操作部４６，ＯＳＤ４７）と、指定手段で指定された複数枚の記録媒体１００の排出を順次連続して実行する制御手段（システムコントローラ３０）と、を有することにより、使用者の手間を省き、複数枚の記録媒体の排出時間の短縮を図ることが可能となる。
【図面の簡単な説明】
【図１】従来の記録媒体装置における複数枚の記録媒体を排出する場合の記録媒体排出方法を示すステップ図（Ａ）〜（Ｅ）である。
【図２】本発明に係る実施の形態の記録媒体装置の構成を示すブロック図である。
【図３】記録媒体情報テーブルの作成手順を示すフローチャートである。
【図４】本発明に係る実施の形態の一例（使用者が指定した記録媒体を連続して排出する場合）を示すフローチャートである。
【図５】一括排出処理を示すフローチャートである。
【図６】使用者が指定した複数枚の記録媒体を連続して排出する具体例を示すステップ（Ａ）〜（Ｅ）である。
【図７】本発明に係る実施の形態の他の一例（特定種類の記録媒体を連続して排出する場合）を示すフローチャートである。
【図８】使用者が選択した特定種類の記録媒体を連続して排出する具体例を示すステップ図（Ａ）〜（Ｄ）である。
【図９】図８の具体例における排出する記録媒体としてＤＶＤ−Ｖを指定する画面（Ａ）、記録媒体排出を開始する画面（Ｂ）である。
【図１０】図８の具体例における排出する記録媒体としてＤＶＤ−ＶおよびＶＣＤを指定する画面（Ａ）、記録媒体排出を開始する画面（Ｂ）である。
【符号の説明】
１０  記録媒体装置
１２  排出口
２０  収納部
３０  システムコントローラ
３１  チェンジャーメカコントローラ
４６  ユーザー操作部
１００，１０２，１０３，１０４，１０５，１０６  記録媒体
【図１】
2004318956.tif 000003
【図２】
2004318956.tif 000004
【図３】
2004318956.tif 000005
【図４】
2004318956.tif 000006
【図５】
2004318956.tif 000007
【図６】
2004318956.tif 000008
【図７】
2004318956.tif 000009
【図８】
2004318956.tif 000010
【図９】
2004318956.tif 000011
【図１０】
2004318956.tif 000012